(57)【要約】【課題】取引中の顧客の周囲に居る人物が、顧客が押下した入力キーの位置から選択された入力キーを特定することが困難となる入力装置、及び現金自動預払機を提供する。【解決手段】表面に複数の入力キーが形成され、現金自動預払機１から取り外された状態で情報の入力が可能であると共に、現金自動預払機１に装着された状態では回動させながら情報の入力が可能である入力装置３を設ける。また、入力装置３の外形は球形であり、中央部で上部と下部に分割され、上部、及び下部それぞれに入力キー１８が複数形成される。【選択図】図１
2008293450.tif 000002
【特許請求の範囲】
【請求項１】
表面に複数の入力キーが形成され、装置本体から取り外された状態で情報の入力が可能であると共に、装置本体に装着された状態では回動させながら情報の入力が可能である入力装置。
【請求項２】
外形は球形であり、中央部で上部と下部に分割され、該上部、及び下部それぞれに前記入力キーが複数形成され、且つ前記上部、及び下部それぞれを独立して回転可能とすることで、縦方向に並ぶ前記入力キーの組み合わせを可変とした請求項１記載の入力装置。
【請求項３】
前記入力キーをタッチパネル式表示画面で形成し、該タッチパネル式表示画面の入力キーの表示を変更することで、該入力キーの配置を可変とした請求項１記載の入力装置。
【請求項４】
前記上部の入力キーと前記下部の入力キーとの組み合わせにより、入力キーから入力された情報の種別を特定する請求項２記載の入力装置。
【請求項５】
表面に複数の入力キーが形成され、装置本体から取り外された状態で情報の入力が可能であると共に、装置本体に装着された状態では回動させながら情報の入力が可能である入力装置を備えた現金自動預払機。
【請求項６】
前記入力装置は、外形が球形であり、中央部で上部と下部に分割され、該上部、及び下部それぞれに前記入力キーが複数形成され、且つ前記上部、及び下部それぞれを独立して回転可能とすることで、縦方向に並ぶ入力キーの組み合わせを可変とした請求項５記載の現金自動預払機。
【請求項７】
前記入力装置は、前記入力キーがタッチパネル式表示画面で形成され、該タッチパネル式表示画面の入力キーの表示を変更することで、該入力キーの配置を可変とした請求項５記載の現金自動預払機。
【請求項８】
前記上部の入力キーと前記下部の入力キーとの組み合わせにより、入力キーから入力された情報の種別を特定する請求項６記載の現金自動預払機。
【発明の詳細な説明】
【技術分野】
【０００１】
本発明は、入力装置、及び該入力装置を備えた現金自動預払機に関するものである。
【背景技術】
【０００２】
従来、情報を入力するための入力手段として、両手で包持し得る程度の大きさであって、全体が球形、卵形等の曲面系を呈する基体に、複数の突出又は埋没した入力キー及び機能キーを設置したキーボードがある。そしてこのようなキーボードにおいては、操作者はキーボードを両手で包持し、第１指にて機能を選択しながら、第２指以降の運指にて文字キーを操作し、情報の入力を行っている（例えば、特許文献１参照。）。
【特許文献１】実開平６−０３７９１６号公報
【発明の開示】
【発明が解決しようとする課題】
【０００３】
上記従来のキーボードにおいては、球形、あるいは卵形をした入力装置であり、操作者がキーボードの入力キーを操作しやすいが、各入力キーの位置が固定されており、入力キーを押下した位置により、いずれの入力キーを押下したのか周囲から特定されやすいという問題点があった。
【課題を解決するための手段】
【０００４】
上記課題を解決するために本発明で設けた解決手段は、表面に複数の入力キーが形成され、装置本体から取り外された状態で情報の入力が可能であると共に、装置本体に装着された状態では回動させながら情報の入力が可能である入力装置を設けるものである。
【発明の効果】
【０００５】
本発明によれば、顧客が入力装置を装置本体から取り外して操作する場合には、入力装置の持ち方により、入力キーの配置を変化させて情報の入力を行うことができる。あるいは、入力装置を装置本体に装着した状態では顧客が入力装置を回動させながら情報の入力を行うことで、入力キーの配置を変化させながら情報の入力を行うことができる。その結果、入力装置を装置本体から取り外した状態であっても、また装置本体に装着した状態で場合であっても、取引中の顧客の周囲に居る人物が、顧客が押下した入力キーの位置から選択された入力キーを特定することが困難となる。
【発明を実施するための最良の形態】
【０００６】
以下、本発明の実施例を図面に従って説明する。なお、各図面に共通する要素には同一の符号を付す。
【実施例１】
【０００７】
図１は実施例１の現金自動預払機を示す概略斜視図、図２は実施例１の現金自動預払機の構成を示すブロック図、図３は実施例１の入力装置の構成を示す説明図である。
【０００８】
図１、図２において、金融機関等に設置されている現金自動預払機１には、装置全体を制御する主制御部２と、該主制御部２に接続された状態で、入力装置３と、表示部４と、カード処理部５と、明細票処理部６と、通帳記帳部７と、紙幣入出金部８と、硬貨入出金部９と、接近検知器１０と、記憶部１１が設けられている。
【０００９】
表示部４は、現金自動預払機１の前部に設けられており、この表示部４は顧客に対して知らせる操作誘導等の情報を表示するＬＣＤ画面と、取引科目や金額等の情報を画面に触れることで現金自動預払機１に対して入力することができるタッチパネル機能を備えたタッチパネル部とで構成されるタッチパネル式表示画面となっている。従って、ＬＣＤ画面には取引科目である「ご入金」、「ご出金」、「お振込み」、「残高照会」、「通帳記帳」等が表示され、タッチパネル部により、顧客は所望の表示部分に軽く触れることで取引科目を選択することができる。
【００１０】
なお、ＬＣＤ画面には、該ＬＣＤ画面の動作を制御するＬＣＤ制御基板が接続されており、このＬＣＤ制御基板は、主制御部２の指示を受けて表示画面の切り替えを行う。また、タッチパネル部には、該タッチパネル部を制御するタッチパネル部制御基板が接続されており、このタッチパネル部制御基板は、タッチパネル部の接触された箇所に応じて変化する信号を主制御部２に送信する。
【００１１】
次に入力装置３の構成について説明する。図１、図３において、入力装置３は、外形が操作者が両手で包持することができる程度の大きさの球形であり、中央部（最大径の部分）で上部３ａと下部３ｂに分割されていると共に、それぞれが更に８分割されている。そして分割されている面それぞれが、情報の入力が行われる入力キーの機能を備えている。すなわち、外形に沿って上部に８個の入力キー１８、及び下部に８個の入力キー１８を備えた球形の入力装置となっている。なお、上部には、「１」から「８」までの数字の入力キー１８が配設され、下部には、「９」、及び「０」の数字の入力キー１８と、「取消」キー、「確認」キー、「訂正」キー、「万」キー、「千」キー、「円」キーの機能キーが配設されている。また、入力キー１８の数、及び入力キー１８の種類については任意に設定可能である。
【００１２】
入力装置３には、主制御部２に接続され、押下された入力キー１８のコードを現金自動預払機１本体に送信するためのインターフェース部１５が設けられており、インターフェース部１５の一部を構成するケーブル１６は、図１に示すように、入力装置３を現金自動預払機１から所定長さ分取り出して操作することができるように十分な長さを備えている。
【００１３】
そして入力装置３の入力キー１８が押下されると、インターフェース部１５を介して押下された入力キー１８に応じたコードが主制御部２に送信される。そして主制御部２は入力装置３から押下された入力キーのコードを受信すると、取引の内容に応じて、表示部４のＬＣＤ制御基板に押下された入力キーのコードを送信し、ＬＣＤ制御基板はキー情報を示すコードを受信すると、該コードをＬＣＤ画面に表示する。
【００１４】
現金自動預払機１の前部には入力装置３を着脱自在に、且つ現金自動預払機１に装着した状態では矢印Ａ−Ｂ方向に回動自在に保持する半円形の受け入れ部１７が形成されている。なお、前記ケーブル１６は入力装置３が受け入れ部１７に保持されている状態では現金自動預払機１内部に格納されており、顧客が入力装置３を現金自動預払機１から取り出した場合には現金自動預払機１内部から引き出されるようになっている。
【００１５】
このように、入力装置３は現金自動預払機１に着脱自在に、且つ現金自動預払機１に装着した状態では回動自在に保持されているので、顧客は入力装置３を現金自動預払機１から取り外して抱えて持つようにして入力キー１８を押下し、情報の入力を行うことができ、また入力装置３が現金自動預払機１の受け入れ部１７に保持されている状態では、顧客は入力装置３を回動させながら入力キー１８を押下し、情報の入力を行うことができる。すなわち、入力装置３を現金自動預払機１から取り外した状態であっても、また現金自動預払機１に装着した状態であっても、顧客の持ち方によって入力キー１８の配置を変化させながら情報の入力を行うことができる。
【００１６】
次に上記構成における現金自動預払機１の動作について説明する。ここでは顧客が出金取引を選択した場合における動作について説明する。なお、今回の取引では通帳は現金自動預払機１内に挿入されないものとする。
【００１７】
図１、図２において、顧客が現金自動預払機１に接近してくると接近検知器１０によりその接近が検知され、主制御部２に顧客の接近を知らせることを示す信号が送信される。主制御部２はこの信号を受けて表示部４の図示せぬＬＣＤ制御基板を介してＬＣＤ画面に顧客誘導画面を表示させる。
【００１８】
ここで顧客が「ご出金」を選択し、表示部４の「ご出金」に触れると、タッチパネル部制御基板は、「ご出金」が選択されたことを示す信号を主制御部２に送信する。これにより主制御部２は出金取引が希望されているとし、出金取引処理を実行する。従って、主制御部２は表示部４のＬＣＤ制御基板を介してＬＣＤ画面に通帳の挿入案内とＩＤカードの挿入案内を表示させ、ＩＤカードが挿入されるのを待つ。顧客が挿入案内に従ってＩＤカードを図示せぬカード挿入排出口に挿入すると、主制御部２は表示部４のＬＣＤ制御基板を介してＬＣＤ画面に暗証番号を入力する画面を表示させる。
【００１９】
この画面を見た顧客は図１に示すように入力装置３を持ち上げて現金自動預払機１から取り外し、自分の体の近くに引き寄せる。そして暗証番号に対応する入力キー１８を押下する。すると、押下された入力キーのコードがインターフェース部１５を介して主制御部２に送信される。主制御部２は入力装置３から暗証番号を受信すると、図示せぬ記憶部にＩＤカードから読み取った口座番号と対応させた状態で記憶しておくと共に、表示部４のＬＣＤ制御基板を介してＬＣＤ画面に出金金額を入力する画面を表示させる。
【００２０】
なお、入力装置３は球形であるので、顧客の入力装置３の持ち方や、持った時の位置により入力キー１８の配置が変化する。その結果、外部から選択された入力キー１８の特定が困難となる。なお、顧客は入力装置３を持ち上げなくても、受け入れ部１７の中で入力装置３をトラックボールのように回動させるだけでも、入力キー１８の配置を変えて情報を入力することができる。
【００２１】
出金金額を入力する画面を見た顧客は、入力装置３を持ち上げた状態で出金金額に対応する入力キー１８を押下する。すると、押下されたキーのコードがインターフェース部１５を介して主制御部２に送信される。主制御部２は入力装置３から出金金額を受信すると、記憶部に記憶しておいた、口座番号と暗証番号を読み出し、該口座番号と、暗証番号と、出金金額を、通信回線を介して図示せぬホストコンピュータに対して送信し、問い合わせを行う。ホストコンピュータは口座番号と暗証番号の確認を行うと共に、出金金額と取引口座の残高との照合を行い、現金自動預払機１へと通信回線を介して送信する。現金自動預払機１の主制御部２はホストコンピュータから「取引可」を受信すると、ＩＤカード、取引内容を印字した明細票、支払い紙幣、及び硬貨の排出を行う。すなわち、ＩＤカードのカード挿入排出口への移動、明細票の図示せぬ明細票排出口への移動、支払い紙幣の紙幣入出金口への移動、及び支払い硬貨の硬貨入出金口への移動が行なわれる。そしてカード挿入排出口からＩＤカードの排出を行い、それと共に明細票排出口から明細票の排出を行う。
【００２２】
これにより、顧客はＩＤカード、及び明細票を現金自動預払機１から受け取る。また、現金自動預払機１は紙幣入出金口の図示せぬシャッター、及び硬貨入出金口の図示せぬシャッターを開き、紙幣、及び硬貨を抜き取り可能状態とする。これにより、顧客は紙幣、及び硬貨を現金自動預払機１から受け取り、今回の取引は終了となる。また取引が成立すると、主制御部２は通信回線を介してホストコンピュータに取引情報を送信し、ホストコンピュータは該当する口座番号の取引情報を更新する。
【００２３】
なお、ホストコンピュータから主制御部２が「取引不可」を受信した場合には、ＬＣＤ制御基板を介して表示部４のＬＣＤ画面に取引が不成立であることを示す情報を表示させると共に、カード挿入排出口からＩＤカードの排出を行う。そして処理を終了とする。
【００２４】
以上本発明の実施例１においては、入力装置３が、表面に複数の入力キーが形成され、現金自動預払機１から取り外された状態で情報の入力が可能であると共に、現金自動預払機１に装着された状態では回動させながら情報の入力が可能であることにより、顧客が入力装置３を現金自動預払機１から取り外して操作する場合には、入力装置３の持ち方により、入力キー１８の配置を変化させて情報の入力を行うことができる。あるいは、入力装置３を現金自動預払機１に装着した状態では顧客が入力装置３を回動させながら情報の入力を行うことで、入力キー１８の配置を変化させながら情報の入力を行うことができる。その結果、取引中の顧客の周囲に居る人物が、顧客が押下した入力キーの位置から選択された入力キーを特定することが困難となる。
【実施例２】
【００２５】
次に本発明の実施例２について説明する。図４、図５は実施例２の入力装置を示す正面図である。
【００２６】
図４、図５に示すように、本実施例２の入力装置２３において実施例１の入力装置３と異なる点は、縦方向に並ぶ入力キーの組み合わせを変えることができる点である。そのために、実施例２の入力装置２３においては、該入力装置２３の中央部（最大径の部分）で、上部２３ａと下部２３ｂに分割され、上部２３ａ、及び下部２３ｂそれぞれに入力キー２４が複数形成され、且つ上部２３ａ、及び下部２３ｂそれぞれを独立して回転可能とする構成となっている。
【００２７】
従って、球形である入力装置２３の場合、入力装置２３の上部２３ａ、あるいは下部２３ｂのいずれか一方を保持した状態で、上部２３ａ、あるいは下部２３ｂを横方向にひねるように回転させることで、縦方向に並ぶ入力キー２４の配置を変えることができる。
【００２８】
例えば、入力装置２３を回転させる前の状態では、図４に示すように、「２」キーと「訂正」キーが縦方向に並び、「１」キーと「円」キーが縦方向に並び、「８」キーと「万」キーが縦方向に並び、更に「７」キーと「千」キーが縦方向に並んでいる場合、顧客が入力装置２３の下部２３ｂを保持した状態で、上部２３ａを横方向にひねるように回転させることで、図５に示すように「２」キーと「取消」キーが縦方向に並び、「１」キーと「確認」キーが縦方向に並び、「８」キーと「訂正」キーが縦方向に並び、更に「７」キーと「円」キーが縦方向に並ぶというように、入力キー２４の縦方向の組み合わせを変更することができる。
【００２９】
また、入力装置を球形ではなく、１個の面をそれぞれ４分割した立方体とし、分割したそれぞれの面に入力キーを形成しても良い。そしてこの入力装置において、それぞれの面の縦方向の中央部で上部と下部に分割し、上部と下部がそれぞれ独立して回転できるようにし、更にそれぞれの面の横方向の中央部で左側部と右側部に分割し、左側部と右側部それぞれも独立して回転できるようにする。これにより、入力キーを横方向に回転させることができると共に、入力キーを縦方向にも回転させることができるようになる。その結果、縦方向に並ぶ入力キーの組み合わせを変えることができると共に、横方向に並ぶ入力キーの組み合わせもまた変えることができる。
【００３０】
なお、入力装置２３のその他の構成は実施例１の入力装置３と同様であるので説明は省略する。また、現金自動預払機１の構成も上記実施例１と同様であるので説明は省略する。
【００３１】
以上本実施例２においては、入力装置２３を、中央部で上部と下部に分割し、上部２３ａ、及び下部２３ｂそれぞれに入力キー２４を複数形成し、且つ上部２３ａ、及び下部２３ｂそれぞれを独立して回転可能とすることで、縦方向に並ぶ入力キー２４の組み合わせを可変としたことにより、入力キー２４の配置を管理者や現金自動預払機１を利用する顧客自身により変更することができる。その結果、入力キー２４の配置を変更することができない入力装置よりも、取引中の顧客の周囲に居る人物が、顧客が押下した入力キー２４の位置から選択された入力キー２４を特定することが更に困難となる。
【実施例３】
【００３２】
次に本発明の実施例３について説明する。図６、図７は実施例３の入力装置を示す正面図である。
【００３３】
図６、図７に示すように、本実施例３の入力装置３３においては、それぞれの入力キー３４が、タッチパネル式表示画面で形成されており、情報を表示するＬＣＤ画面と、画面に触れることで現金自動預払機１に対して入力することができるタッチパネル機能を備えたタッチパネル部とで構成されている。従って、顧客は所望の表示部分に軽く触れることで情報の入力を行うことができる。
【００３４】
なお、ＬＣＤ画面には、該ＬＣＤ画面の動作を制御するＬＣＤ制御基板が接続されており、このＬＣＤ制御基板は、主制御部２の指示を受けて乱数を発生させ、入力キー３４の配置を決定する。そして変更後の配置で、ＬＣＤ画面に入力キー３４を表示させる。また、タッチパネル部には、該タッチパネル部を制御するタッチパネル部制御基板が接続されており、このタッチパネル部制御基板は、タッチパネル部の接触された箇所に応じて変化する信号を主制御部２に送信する。
【００３５】
このように、本実施例の入力装置３３においては、入力キー３４をタッチパネル式表示画面で形成し、該タッチパネル式表示画面の入力キー３４の表示を変更することで、該入力キーの配置を可変としたものである。
【００３６】
次に上記構成における現金自動預払機１の動作について説明する。ここでは顧客が出金取引を選択した場合における動作について説明する。なお、今回の取引では通帳は現金自動預払機１内に挿入されないものとする。また、現金自動預払機１の待機状態においては、入力装置３３の入力キー３４のＬＣＤ画面には、何も表示されていないものとする。図８は実施例３の現金自動預払機を示す概略斜視図である。
【００３７】
図２、図８において、顧客が現金自動預払機１に接近してくると接近検知器１０によりその接近が検知され、主制御部２に顧客の接近を知らせることを示す信号が送信される。主制御部２はこの信号を受けて表示部４の図示せぬＬＣＤ制御基板を介してＬＣＤ画面に顧客誘導画面を表示させる。
【００３８】
ここで顧客が「ご出金」を選択し、表示部４の「ご出金」に触れると、タッチパネル部制御基板は、「ご出金」が選択されたことを示す信号を主制御部２に送信する。これにより主制御部２は出金取引が希望されているとし、出金取引処理を実行する。従って、主制御部２は表示部４のＬＣＤ制御基板を介してＬＣＤ画面に通帳の挿入案内とＩＤカードの挿入案内を表示させ、ＩＤカードが挿入されるのを待つ。顧客が挿入案内に従ってＩＤカードをカード挿入排出口３５に挿入すると、図示せぬカード検知センサがＩＤカードを検知し、主制御部２にＩＤカードが挿入されたことを示す情報を送信する。主制御部２はこの情報を受信すると、入力装置３３のＬＣＤ制御基板に対してキー変更命令を送信する。ＬＣＤ制御基板は、主制御部２からキー変更命令を受信すると乱数を発生させ、入力キー３４（数字キー、及び機能キー）の配置を決定する。そして決定された配置で、図６に示すようにＬＣＤ画面に入力キー３４を表示させる。
【００３９】
また、顧客が挿入案内に従ってＩＤカードをカード挿入排出口３５に挿入すると、主制御部２は表示部４のＬＣＤ制御基板を介してＬＣＤ画面に暗証番号を入力する画面を表示させる。
【００４０】
この画面を見た顧客は入力装置３３を持ち上げて現金自動預払機１から取り外し、自分の体の近くに引き寄せる。そして暗証番号に対応する入力キー３４に触れる。すると、入力装置３３のタッチパネル制御基板は、触れられた入力キー３４のコードをインターフェース部１５を介して主制御部２に送信する。主制御部２は入力装置３３から暗証番号を受信すると、図示せぬ記憶部にＩＤカードから読み取った口座番号と対応させた状態で記憶しておく。
【００４１】
また、主制御部２は入力装置３３から入力された暗証番号を示す情報を受信すると、入力装置３３のＬＣＤ制御基板に対してキー変更命令を送信する。ＬＣＤ制御基板は、主制御部２からキー変更命令を受信すると乱数を発生させ、入力キー３４の配置を決定する。そして変更後の配置で、図７に示すようにＬＣＤ画面に入力キー３４を表示させる。
【００４２】
更に、主制御部２は入力装置３３から暗証番号を受信すると、表示部４のＬＣＤ制御基板を介してＬＣＤ画面に出金金額を入力する画面を表示させる。
【００４３】
この画面を見た顧客は、入力装置３３を持ち上げた状態で出金金額に対応する入力キー３４に触れる。すると、タッチパネル制御基板は、触れられた入力キー３４のコードをインターフェース部１５を介して主制御部２に送信する。主制御部２は入力装置３３から出金金額を受信すると、記憶部に記憶しておいた、口座番号と暗証番号を読み出し、該口座番号と、暗証番号と、出金金額を、通信回線を介して図示せぬホストコンピュータに対して送信し、問い合わせを行う。
【００４４】
なお、以降の現金自動預払機１の動作は実施例１と同様であるので、説明は省略する。
【００４５】
以上本実施例３においては、入力キー３４をタッチパネル式表示画面で形成し、該タッチパネル式表示画面の入力キー３４の表示を変更することで、該入力キーの配置を可変としたことにより、入力キー３４の配置を顧客が暗証番号を入力する直前に変更することができる。その結果、入力キーの配置の予想が困難となり、縦方向に並ぶ入力キーの組み合わせを変えるよりも、取引中の顧客の周囲に居る人物が、顧客が押下した入力キー３４の位置から選択された入力キー３４を特定することが更に困難となる。
【実施例４】
【００４６】
次に本発明の実施例４について説明する。図９は実施例４の入力装置を示す正面図、図１０、図１１は実施例４の入力装置の入力キーの配置を示す説明図、図１２は実施例４の表示部の表示画面を示す説明図、図１３は実施例４の入力装置を示す正面図である。
【００４７】
図９において、本実施例４の入力装置４３においては、実施例２の入力装置２３と同様に、入力装置４３の中央部（最大径の部分）で、上部４３ａと下部４３ｂに分割され、上部４３ａ、及び下部４３ｂそれぞれに入力キー４４が複数形成され、且つ上部４３ａ、及び下部４３ｂそれぞれを独立して回転可能とすることで、縦方向に並ぶ入力キー４４の組み合わせが可変となっている。そして図１０に示すように入力キー４４として上部４３ａには数字キーが１０個配置され、図１１に示すように下部４３ｂには機能キーが１０個配置されている。なお、下部４３ｂには「ブランク」キー４４ａが２箇所形成されている。
【００４８】
入力装置４３にはまた、図示せぬ制御基板が設けられており、押下された入力キー４４に応じた情報を主制御部２に送信し、また制御基板は数字キーの下に「ブランク」キー４４ａが配置されて、数字キーが押下された場合には、入力されたのは数字であると認識するようになっている。
【００４９】
すなわち、本実施例４の入力装置４３においては、上部４３ａの入力キー４４と下部４３ｂの入力キー４４との組み合わせにより、入力キー４４から入力された情報の種別を特定する機能を備えている。
【００５０】
更に、主制御部２は出金取引が選択された場合、図１２に示すように、表示部４のＬＣＤ画面に出金金額の入力要求と、暗証番号の入力要求とを同時に表示させて、いずれが入力されても対応することができる制御となっている。
【００５１】
例えば、暗証番号「１２３４」を入力する場合には、始めに顧客は「１」キーの下に「ブランク」キー４４ａを配置する。そして「１」キーを押下する。入力装置４３の制御基板はブランクキー４４ａの上に配置された「１」キーが押下されたことを示す情報を受信すると、受信した数字を図示せぬ記憶部に記憶する。このように「ブランク」キー４４ａの上に配置された「数字」キーが押下される毎に制御基板は数字を記憶していく。そして４桁目の数字「４」を入力するために、顧客が「４」キーの下に「暗証」キー４４ｂを配置し、「４」キーを押下する。入力装置４３の制御基板は「暗証」キー４４ｂの上に配置された「４」キーが押下されたことを示す情報を受信すると、記憶部の情報を更新し、「１２３４」を記憶すると共に、暗証番号の入力が終了したと判断する。そして図示せぬ記憶部に記憶しておいた４桁の数字を暗証番号であることを示す情報を付与して主制御部２に送信する。このようにして主制御部２は暗証番号を取得する。
【００５２】
なお、上部４３ａと下部４３ｂは、それぞれ独立して回転させることができるので、入力装置４３の上部４３ａ、あるいは下部４３ｂのいずれか一方を保持した状態で、上部４３ａ、あるいは下部４３ｂを横方向にひねるように回転させることで、数字キーとブランクキーとを縦方向に並ぶ状態に位置付けることができる。
【００５３】
一方、金額「３万５千円」を入力する場合には、始めに顧客は「３」キーの下に「万」キーを配置し、そして「３」キーを押下する。入力装置４３の制御基板は「万」キーの上に配置された「３」キーが押下されたことを示す情報を受信すると、受信した「３万」を図示せぬ記憶部に記憶すると共に、「万」の桁が入力されたことを認識する。続いて顧客は「５」キーの下に「千」キーを配置し、そして「５」キーを押下する。入力装置４３の制御基板は「千」キーの上に配置された「５」キーが押下されたことを示す情報を受信すると、「５千」が入力されたことを認識し、「千」の桁が入力されたことを認識する。そして記憶部の情報を更新し、「３万５千」とする。
【００５４】
続いて顧客は「円」を押下する。入力装置４３の制御基板は「円」が押下されたことを認識すると、「金額」の入力が終了したと判断し、記憶部に記憶しておいた金額「３万５千円」を主制御部２に送信する。このようにして、主制御部２は「３万５千円」を取得する。
【００５５】
なお、２万円を千円単位で入力する場合には、「２０千円」となるが、この場合は、始めに顧客は図１３に示すように「２」キーの下に「ブランク」キー４４ａを配置し、そして「２」キーを押下する。入力装置４３の制御基板は「ブランク」キー４４ａの上に配置された「２」キーが押下されたことを示す情報を受信すると、受信した「２」を図示せぬ記憶部に記憶する。続いて顧客は「０」キーの下に「千」キーを配置し、そして「０」キーを押下する。入力装置４３の制御基板は「千」キーの上に配置された「０」キーが押下されたことを示す情報を受信すると、「０千」が入力されたことを認識し、「千」の桁が入力されたことを認識する。そして記憶部の情報を更新し、「２０千」とする。
【００５６】
続いて顧客は「円」を押下する。入力装置４３の制御基板は「円」が押下されたことを認識すると、「金額」の入力が終了したと判断し、記憶部に記憶しておいた金額「２０千円」を主制御部２に送信する。このようにして、主制御部２は「２０千円」を取得する。
【００５７】
上記のような制御となっているので、顧客は暗証番号を先に入力してから金額を入力する、あるいは金額を入力してから暗証番号を入力することのいずれも自由に選択することができる。
【００５８】
以上本実施例４においては、上部４３ａの入力キーと下部４３ｂの入力キー４４との組み合わせにより、入力キー４４から入力された情報の種別を特定することにより、暗証番号の入力、あるいは出金金額の入力、いずれを先に行うか顧客が選択することができるようになる。従って、顧客が暗証番号の入力を行っているのか、あるいは金額の入力を行っているのかさえも、取引中の顧客の周囲に居る人物が認識することが難しくなる。その結果、入力キー４４を顧客が暗証番号を入力する直前に変更するよりも、取引中の顧客の周囲に居る人物が、暗証番号を特定することが更に困難となる。
【図面の簡単な説明】
【００５９】
【図１】実施例１の現金自動預払機を示す概略斜視図である。
【図２】実施例１の現金自動預払機の構成を示すブロック図である。
【図３】実施例１の入力装置の構成を示す説明図である。
【図４】実施例２の入力装置を示す正面図である。
【図５】実施例２の入力装置を示す正面図である。
【図６】実施例３の入力装置を示す正面図である。
【図７】実施例３の入力装置を示す正面図である。
【図８】実施例３の現金自動預払機を示す概略斜視図である。
【図９】実施例４の入力装置を示す正面図である。
【図１０】実施例４の入力装置の入力キーの配置を示す説明図である。
【図１１】実施例４の入力装置の入力キーの配置を示す説明図である。
【図１２】実施例４の表示部の表示画面を示す説明図である。
【図１３】実施例４の入力装置を示す正面図である。
【符号の説明】
【００６０】
１  現金自動預払機
３  入力装置
１８  入力キー
２３  入力装置
２４  入力キー
３３  入力装置
３４  入力キー
４３  入力装置
４４  入力キー
【図１】
2008293450.tif 000003
【図２】
2008293450.tif 000004
【図３】
2008293450.tif 000005
【図４】
2008293450.tif 000006
【図５】
2008293450.tif 000007
【図６】
2008293450.tif 000008
【図７】
2008293450.tif 000009
【図８】
2008293450.tif 000010
【図９】
2008293450.tif 000011
【図１０】
2008293450.tif 000012
【図１１】
2008293450.tif 000013
【図１２】
2008293450.tif 000014
【図１３】
2008293450.tif 000015